(57)【要約】【課題】モバイル端末において、電子商取引サービス、音楽配信サービス、位置情報サービスといった各種の情報サービスをブラウザウインドウとともに１つの画面に同時に表示可能にする。【解決手段】特定の情報処理機能を有する少なくとも１つ以上のサービスオブジェクト４００と、このサービスオブジェクト４００および外部のネットワークに接続されてユーザに情報を提示するブラウザ４０１と、このブラウザ４０１がサービスオブジェクト４００にアクセスする際のインターフェースとなるローカルゲートウェイ４０２を備えている。【選択図】図４
2006318452.tif 000002
【特許請求の範囲】
【請求項１】
特定のサービスを供給する複数のサービスオブジェクト手段と、
前記サービスオブジェクト手段に対し特定の情報の獲得を要求し、獲得した情報を表示するブラウザ手段と、
前記ブラウザ手段からの要求が利用可能なサービスの検出である場合は、内部に保持する利用可能なサービスオブジェクト手段に関する情報をマークアップ言語で記述されたリスト情報として前記ブラウザ手段に返し、前記ブラウザ手段からの要求が前記特定のサービスである場合は、前記要求を前記特定のサービスを提供するサービスオブジェクト手段に送り、前記要求に応じて前記サービスオブジェクト手段が生成するマークアップ言語で記述された情報を前記ブラウザ手段に返すローカルゲートウェイ手段と、
を備えた情報端末。
【請求項２】
前記ローカルゲートウェイ手段は、利用可能なサービスオブジェクト手段に関する情報をそれぞれのサービスオブジェクト手段から収集することを特徴とする請求項１記載の情報端末。
【請求項３】
特定のサービスを供給する複数のサービスオブジェクト手段と前記サービスオブジェクト手段に対し特定の情報の獲得を要求し、獲得した情報を表示するブラウザ手段とを備えた情報端末の情報サービス提供方法であって、
前記ブラウザ手段からの要求が利用可能なサービスの検出である場合は、内部に保持する利用可能なサービスオブジェクト手段に関する情報をマークアップ言語で記述されたリスト情報として前記ブラウザ手段に表示するステップと、
前記ブラウザ手段からの要求が前記特定のサービスである場合は、前記要求を前記特定のサービスを提供するサービスオブジェクト手段に送り、前記要求に応じて前記サービスオブジェクト手段が生成するマークアップ言語で記述された情報を前記ブラウザ手段に表示するステップと、
を含む情報端末の情報サービス提供方法。
【発明の詳細な説明】
【技術分野】
【０００１】
本発明は、ブラウザを搭載したユーザ端末に対して電子商取引サービス、音楽配信サービス、位置情報サービスといった各種の情報サービスを提供する情報提供システムに関し、特に、パソコンに比べリソースの乏しいモバイル端末において、各種のサービスの利用を可能にするものである。
【背景技術】
【０００２】
近年、ブラウザを搭載したパソコンを用いて、検索サービス、電子商取引サービス、音楽配信サービスといった各種の情報サービスの提供が活発に行なわれている。例えば、電子商取引サービスの場合、その実現形態は、パソコンにブラウザのほかに、電子財布アプリケーションをインストールし、ブラウザから電子財布アプリケーションを起動して、電子財布アプリケーションの機能を利用する。
【０００３】
図１８（ａ）は、従来の技術におけるＥＣ（Electronic commerce）システムのブロック構成図である。このＥＣシステムは、図１８（ａ）に示すように、ブラウザ1406と電子財布アプリケーション1407がインストールされたパソコン1401と、電子チケットやプリペイド型電子マネー等の電子バリューを生成・発行する電子バリュー発行サーバ1403と、対価の支払いに応じてサービスを提供するサービスサーバ1405と、銀行、クレジットサービス会社または決済処理会社における口座決済処理を行なう決済処理サーバ1404と、オンライン上で電子バリューに関する情報提供および電子バリューの販売を行う情報提供サーバ1402とを備え、これらはインターネット1400によって結ばれている。
【０００４】
例えば、サービスサーバ1405が提供する情報サービスに対して、電子財布アプリケーション1407が管理するプリペイド型電子マネーによって対価を支払う場合、まず、パソコン1401は、サービスサーバ1405から、電子財布アプリケーション1407を起動させるリンクを含んだＨＴＭＬページデータを受信し、ディスプレ画面1411のブラウザウィンドウ1412にその内容を表示する（図１８（ｂ）参照）。ユーザが電子財布アプリケーション1407を起動させるリンクを選択すると、ブラウザ1406は電子財布アプリケーション1407を起動し、ディスプレ画面1411に電子財布ウィンドウ1413が表示され、ユーザは起動された電子財布アプリケーション1407を操作して、電子財布アプリケーション1407が管理するプリペイド型電子マネーによってサービスサーバ1405に対価を支払う。プリペイド型電子マネーが足りない場合には、ユーザは電子財布アプリケーション1407を操作して、情報提供サーバ1402を介してプリペイド型電子マネーを購入し、電子バリュー発行サーバ1403から新しいプリペイド型電子マネーをダウンロードする。この時、対価を支払う際、及び、プリペイド型電子マネーのダウンロードのセキュリティを確保するため、電子財布アプリケーション1407とサービスサーバ1406間、及び電子財布アプリケーション1407と電子バリュー発行サーバ1403間の通信では、ＨＴＴＰプロトコル1408とは異なる、電子財布用プロトコル1409を用いて通信を行なう。
【０００５】
一方、ブラウザを携帯電話機に搭載して、携帯電話機からインターネットを介してサーバにアクセスし、サーバから必要な情報を取得してディスプレイに表示する技術も知られている（例えば、特許文献１参照）。
【特許文献１】特開平１１−２７５２５０号公報
【発明の開示】
【発明が解決しようとする課題】
【０００６】
しかしながら、パソコンに比べ、表示画面が小さく、メモリ等のリソースが乏しい携帯電話等のモバイル端末において、同様なＥＣサービスを提供しようとすると、従来の方式では、モバイル端末の表示画面が小さいために、ブラウザウィンドウと電子財布ウィンドウを一つの画面に同時に表示できず、モバイル端末はアプリケーションごとに表示用のメモリを確保する必要があり、また、ユーザは、アプリケーションごとに画面を切り替えて使用する必要があり不便であった。
【０００７】
本発明は、このような従来の問題を解決するものであり、携帯電話等のモバイル端末において、電子商取引サービス、音楽配信サービス、位置情報サービスといった各種の情報サービスをブラウザウィンドウとともに一つの画面に表示できる情報端末を提供することを目的とする。
【課題を解決するための手段】
【０００８】
本発明の情報端末は、特定のサービスを供給する複数のサービスオブジェクト手段と、前記サービスオブジェクト手段に対し特定の情報の獲得を要求し、獲得した情報を表示するブラウザ手段と、前記ブラウザ手段からの要求が利用可能なサービスの検出である場合は、内部に保持する利用可能なサービスオブジェクト手段に関する情報をマークアップ言語で記述されたリスト情報として前記ブラウザ手段に返し、前記ブラウザ手段からの要求が前記特定のサービスである場合は、前記要求を前記特定のサービスを提供するサービスオブジェクト手段に送り、前記要求に応じて前記サービスオブジェクト手段が生成するマークアップ言語で記述された情報を前記ブラウザ手段に返すローカルゲートウェイ手段と、を備えた構成を有する。
【０００９】
この構成により、ローカルゲートウェイ手段は、ブラウザ手段からの要求が利用可能なサービスの検出である場合は、ローカルゲートウェイ手段の内部に保持されているサービスオブジェクト手段に関する利用可能な情報のリストをブラウザ手段に返し、ブラウザ手段がそれを表示するので、ユーザは表示されたリストの中から自分が欲しいサービスオブジェクトを選ぶことができ、利便性を向上させることができる。そして、ブラウザ手段が表示されたリストの中の特定のサービスオブジェクトを要求する場合には、ローカルゲートウェイ手段が、ブラウザ手段とサービスオブジェクト手段のインターフェイスを取るので、表示画面が小さいモバイル端末であっても、ブラウザウィンドウと他のアプリケーションウィンドウを一つの画面に同時に表示することができ、また、アプリケーションごとに表示用のメモリを確保する必要がないので、少ないメモリであっても、マルチアプリケーションサービスを提供することが可能になる。
【００１０】
本発明はまた、前記ローカルゲートウェイ手段は、利用可能なサービスオブジェクト手段に関する情報をそれぞれのサービスオブジェクト手段から収集することを特徴とする。この構成により、ローカルゲートウェイ手段は、収集した各サービスオブジェクト手段に関する情報を内部に保持することができ、ブラウザ手段は、どのサービスオブジェクトが利用可能であるかをユーザに提示することができる。
【００１１】
本発明はまた、特定のサービスを供給する複数のサービスオブジェクト手段と前記サービスオブジェクト手段に対し特定の情報の獲得を要求し、獲得した情報を表示するブラウザ手段とを備えた情報端末の情報サービス提供方法であって、前記ブラウザ手段からの要求が利用可能なサービスの検出である場合は、内部に保持する利用可能なサービスオブジェクト手段に関する情報をマークアップ言語で記述されたリスト情報として前記ブラウザ手段に表示するステップと、前記ブラウザ手段からの要求が前記特定のサービスである場合は、前記要求を前記特定のサービスを提供するサービスオブジェクト手段に送り、前記要求に応じて前記サービスオブジェクト手段が生成するマークアップ言語で記述された情報を前記ブラウザ手段に表示するステップと、を含む情報端末の情報サービス提供方法である。
【００１２】
この方法により、ブラウザ手段からの要求が利用可能なサービスの検出である場合は、情報端末の内部に保持されているサービスオブジェクト手段に関する利用可能な情報のリストをブラウザ手段に返し、ブラウザ手段がそれを表示するので、ユーザは表示されたリストの中から自分が欲しいサービスオブジェクトを選ぶことができ、利便性を向上させることができる。そして、ブラウザ手段が表示されたリストの中の特定のサービスオブジェクトを要求する場合には、情報端末自体がブラウザ手段とサービスオブジェクト手段のインターフェイスを取るので、情報端末が表示画面の小さいモバイル端末であっても、ブラウザウィンドウと他のアプリケーションウィンドウを一つの画面に同時に表示することができ、また、アプリケーションごとに表示用のメモリを確保する必要がないので、少ないメモリであっても、マルチアプリケーションサービスを提供することが可能になる。
【発明の効果】
【００１３】
本発明は、ブラウザ手段から利用可能なサービスの一覧要求があった場合には、サービスオブジェクト手段に通知することなく、ローカルゲートウェイ手段の内部に保持する利用可能情報をブラウザ手段に返し、ブラウザ手段から特定のサービスの要求があった場合には、該当するサービスオブジェクト手段に通知し、その応答をブラウザ手段に返すローカルゲートウェイ手段を備えているので、表示画面が小さいモバイル端末であっても、ブラウザウィンドウと他のアプリケーションウィンドウを一つの画面に同時に表示することができ、また、アプリケーションごとに表示用のメモリを確保する必要がないので、少ないメモリであっても、マルチアプリケーションサービスをユーザに提供できるという効果を有する。
【発明を実施するための最良の形態】
【００１４】
以下、本発明の実施の形態（以下、実施例という。）について、図１から図１７を用いて説明する。なお、本発明はこれらの実施例に何ら限定されるものではなく、その趣旨を逸脱しない範囲において、種々なる態様で実施し得るものである。
【００１５】
本発明の情報端末を利用した実施例の一つであるモバイル・マルチメディア情報提供システムは、個人消費者が、情報端末及びネットワークを介してサービスサーバから、各種のチケットや、プリペイドカードを電子情報として購入し、チケットの改札や、一般の小売販売店で商品を購入の際に、係員に対してチケットを提示したり、店員との間で、直接、現金やレシートを受け渡したりすることなく、全て、無線通信によって、チケットの改札、商品やサービスの売買決済を行なう電子商取引サービスの提供、および、ネットワークを介して音楽コンテンツを電子情報として購入、ダウンロードして、音楽を楽しむ音楽配信サービスの提供、および、地図情報と組み合わせた位置情報サービスの提供を行なうシステムである。
【００１６】
以下では、本システムをモバイル・マルチメディア情報提供システムと呼び、本システムで扱われる電子化されたチケットやプリペイドカード、音楽コンテン
ツを電子バリュー、本システムによって提供される各種のサービスを、総称して、モバイル・マルチメディア情報提供サービスと呼ぶこととする。
【００１７】
このモバイル・マルチメディア情報提供システムは、図１のシステム構成図に示すように、３系統の双方向無線通信機能とブラウザ機能と電子財布機能と音楽プレーヤ機能とナビゲーション機能を持つモバイルユーザ端末101と、bluetooth によってモバイルユーザ端末101と結ばれている音楽プレーヤ116およびナビゲーションモジュール117と、双方向の通信機能とブラウザ機能と電子財布機能とを持つユーザ端末107と、電子バリューの改札決済処理を行なうサービス端末105と、オンライン上で電子バリューの改札決済処理を行なうサービスサーバ106と、銀行、クレジットサービス会社または決済処理会社における口座決済処理を行なう決済処理サーバ104と、オンライン上で電子バリューに関する情報提供および電子バリューの販売を行う情報提供サーバ102と、電子バリューを生成・発行する電子バリュー発行サーバ103と、ゲートウェイ118、119、120とを備え、これらはインターネット100によって結ばれている（モバイルユーザ端末101 とサービス端末105とユーザ端末107は、それぞれゲートウェイ118、119、120 を介してインターネット100に接続する）。モバイルユーザ端末101とサービス端末105とユーザ端末107をそれぞれインターネット100に接続するゲートウェイ118、119、120とサービスサーバ106と決済処理サーバ104と情報提供サーバ102と電子バリュー発行サーバ103は、それぞれ１台もしくは複数台のコンピュータによって構成されるシステムである。
【００１８】
モバイルユーザ端末101は、赤外線通信とbluetooth とデジタル無線通信との３系統の双方向無線通信機能と、ブラウザ機能と電子財布機能、および、bluetooth によって音楽プレーヤ116 ナビゲーションモジュール117を接続することによって、さらに音楽プレーヤ機能とナビゲーション機能とを持つ携帯無線電話端末である。また、サービス端末105は、赤外線通信とデジタル無線通信との２系統の双方向無線通信機能を持ち、用途に応じて据置タイプや携帯タイプがある。
【００１９】
なお、図１において、108と113は、モバイルユーザ端末101とサービス端末105が、それぞれ、インターネット100にアクセスしている際に行うデジタル無線通信の伝送路を示し、109は、モバイルユーザ端末101がサービス端末105と行う赤外線通信の伝送路を示し、110、111、112、114、115は、それぞれサービス提供サーバ102、電子バリュー発行サーバ103、決済処理サーバ104、サービスサーバ106、ユーザ端末107がインターネット100に接続するデジタル通信回線を示し、121と122は、音楽プレーヤ116とナビゲーションモジュール117が、それそれモバイルユーザ端末に接続するbluetooth の論理的な伝送路を示している。
【００２０】
また、モバイル・マルチメディア情報提供サービスの通常の運用形態としては、次のような形態を想定している。決済処理サーバ104は、銀行またはクレジットカード会社または決済処理会社に設置され、情報提供サーバ102は、イベント会社、チケット発行会社、小売販売会社、プリペイドカード発行会社、レコード会社等のオンライン上で電子バリューに関する情報の提供および電子バリューの販売を行う事業会社にそれぞれ設置される。モバイルユーザ端末101は、消費者が持ち歩き、ユーザ端末107は、消費者が自宅に設置する。サービス端末105は、据置タイプの場合には、映画館やイベント会場等の入口、小売販売店のレジカウンタに設置され、携帯タイプの場合には、売場販売員や、集金担当者が携帯し、サービスサーバ106は、オンラインショップやインターネット放送など電子バリューに応じたサービスを提供する会社に設置される。電子バリュー発行サーバ103は、モバイル・マルチメディア情報提供サービスを提供する会社に設置される。
【００２１】
さらに、モバイル・マルチメディア情報提供システムを構成する各機器、および、各システムの所有者間の社会的な関係として、次のような関係を前提としている。モバイルユーザ端末101を所有する消費者は、銀行またはクレジットカード会社との間で、口座決済サービスの契約を、モバイル・マルチメディア情報提供サービスを提供する会社との間では、モバイル・マルチメディア情報提供サービスの会員契約を結んでいる。サービス端末105の所有者とサービスサーバ106の所有者は、モバイル・マルチメディア情報提供サービスの提供者との間で、モバイル・マルチメディア情報提供サービスの加盟店契約を結んでいる。但し、サービス端末105の所有者またはサービスサーバ106の所有者が、モバイル・マルチメディア情報提供サービスの提供者と、同一の事業者であっても良い。情報提供サーバ102の所有者は、モバイル・マルチメディア情報提供サービスの提供者との間で、情報提供サーバ102からの要求に応じて、電子バリュー発行サーバ103 が電子バリューを発行する契約を結んでいる。但し、情報提供サーバ102の所有者が、モバイル・マルチメディア情報提供サービスの提供者と、同一の事業者であっても良い。
【００２２】
以下では、本システムの説明を簡単にするために、モバイルユーザ端末101を所有する消費者をユーザ(User)、サービス端末105またはサービスサーバ106を所有し、商品やサービスを提供・販売する事業者をマーチャント(Merchant)、電子バリュー発行サーバ103を所有しモバイル・マルチメディア情報提供サービスを提供する会社をサービス提供者(Service Provider)、決済処理サーバ104を所有し、口座決済処理を行なう銀行、クレジットカード会社または決済処理会社を決済処理機関(Transaction Processor) 、情報提供サーバ102を所有し、オンライン上で電子バリューに関する情報提供および電子バリューの販売を行う事業者を電子バリュー販売者(Electronic Value seller) 呼ぶこととする。本システムによって提供されるモバイル・マルチメディア情報提供サービスは、ネットワークを介したチケットやプリペイドカード、音楽コンテンツの売買と、それに伴うそれらの配送と、それらチケットやプリペイドカードの使用、音楽コンテンツの利用を、全て電子的に行なうサービスである。
【００２３】
具体的には、ユーザがモバイルユーザ端末101を用いて、インターネットを介して、情報提供サーバ102に電子バリューの購入をオーダーし、電子バリュー発行サーバ103から、情報提供サーバ102の電子バリュー発行要求に基づいて電子バリュー発行サーバ103が生成した電子バリューを受信して、それをモバイルユーザ端末101に蓄積して管理し、チケットやプリペイドカードなどの電子バリューを使用する場合には、サービス端末105またはサービスサーバ106とのデータ通信によって、モバイルユーザ端末101に蓄積されている電子バリューを提示し、電子バリューの改札決済処理情報を交換して、電子バリューの改札決済処理を行い、マーチャントが提供するサービスまたは商品の提供を行ない、音楽コンテンツなどの電子バリューの場合には、蓄積した電子バリューを再生するものである。また、この時の電子バリューの売買に伴う決済処理は、情報提供サーバ102と決済処理サーバ104との間で行われる。モバイル・マルチメディア情報提供サービスの詳細については、後で詳しく説明する。
【００２４】
モバイル・マルチメディア情報提供サービスにおいて、本システムの各機器間で行われるデータ通信は、次に示す伝送路または通信回線を用いて行われる。まず、モバイルユーザ端末101は、伝送路108とインターネット100とデジタル通信回線110とを介して情報提供サーバ102とデジタル通信を行い、伝送路108とインターネット100とデジタル通信回線111とを介して電子バリュー発行サーバ103とデジタル通信を行い、伝送路108とインターネット100とデジタル通信回線111とを介してサービスサーバ106とデジタル通信を行い、伝送路109を介してサービス端末105と赤外線通信を行ない、伝送路121を介して音楽プレーヤ116 と、伝送路122を介してナビゲーションモジュール117とそれぞれbluetooth による通信を行なう。
【００２５】
また、モバイルユーザ端末101と電子バリュー発行サーバ103との通信、モバイルユーザ端末101とサービス端末105との通信、モバイルユーザ端末101とサービスサーバ106との通信では、交換される情報を、全て、暗号化して通信する。暗号化には、秘密鍵方式の暗号処理と公開鍵方式の暗号処理とを組合わせて、情報を電子封書化して通信する。
【００２６】
次に、本システムを構成する各構成要素について説明する。まず、サービス端末105について説明する。図９はサービス端末105のブロック構成図である。図９において、サービス端末105は、コンピュータ900と無線通信モデム901と赤外線通信アダプタ902によって構成される。サービス端末105には、デジタル無線通信と赤外線通信の２系統の通信機能があり、デジタル無線通信機能によってインターネットアクセスを行い、赤外線通信機能によってモバイルユーザ端末101との電子バリューの改札決済処理を行う。コンピュータ900には、マーチャントアプリケーションが搭載されており、このマーチャントアプリケーションに基づいて、コンピュータ900 が無線通信モデム901と赤外線通信アダプタ902を制御して、電子バリューの改札決済処理を行う。同様に、サービスサーバ106にも、マーチャントアプリケーションが搭載されており、サービスサーバ106は、このマーチャントアプリケーションに基づいて、電子バリューの改札決済処理を行う。
【００２７】
次に、ユーザ端末107について説明する。図１０はユーザ端末107のブロック構成図である。図１０において、ユーザ端末107は、コンピュータ1000とスマートカードリーダライタ1001と通信モデム1002によって構成される。ユーザ端末107には、ブラウザアプリケーションプログラムと電子財布アプリケーションプログラムが搭載されており、インターネットへのアクセスは通信アダプタ1002によって行う。ユーザ端末107は、スマートカードリーダライタ1001に、モバイルユーザ端末101のスマートカードを挿入することにより、サービス端末105との改札決済処理を除いて、モバイルユーザ端末101と同じ機能を持つ。
【００２８】
次に、モバイルユーザ端末101について説明する。 図２（ａ）、図２（ｂ）は、それぞれモバイルユーザ端末101の前面側及び背面側の外観図である。図２（ａ）において、211はサービス端末105と赤外線通信を行なう赤外線通信ポート（赤外線通信モジュール）、213は音楽プレーヤ116およびナビゲーションモジュール117とbluetooth による通信を行なうbluetooth 通信モジュール、210はデジタル無線通信の電波を受発信するアンテナ、209はレシーバスピーカ、200は１２０×１６０画素表示のカラー液晶ディスプレイ（ＬＣＤ）、203は通話スイッチ、202は通話の終了スイッチと電源スイッチを兼ねた終了／電源スイッチ、204はナビゲーションスイッチ、205と206はファンクションスイッチ、201はテンキースイッチ、207はマイクである。さらに、図２（ｂ）において、212はスマートカードスロット（スマートカードリーダライタ）である。
【００２９】
モバイルユーザ端末101には、デジタル無線通信と赤外線通信とbluetooth の３系統の通信機能があり、デジタル無線通信機能によって音声通話とインターネットアクセス、及びサービスサーバとの電子バリューの改札決済処理を行い、赤外線通信機能によってサービス端末105との電子バリューの改札決済処理を行ない、bluetooth 通信機能によって音楽プレーヤ116およびナビゲーションモジュール117と接続して、音楽プレーヤ機能とナビゲーション機能を提供する。さらに、モバイルユーザ端末101には、ブラウザ機能と電子財布機能があり、ブラウザ機能によってインターネットとモバイルユーザ端末のローカルデータのブラウジングを行い、電子財布機能によって電子バリューの管理、及び改札決済処理を行う。
【００３０】
図３はモバイルユーザ端末101のブロック構成図である。図３において、モバイルユーザ端末101は、ＦｅＲＡＭ(Ferroelectronic Random Access Memory)301に格納されたプログラムにしたがって、ＦｅＲＡＭ301に格納されたデータの処理と送受信データの処理、並びにバス306を介して他の構成要素の制御を行なうＣＰＵ(Central Processing Unit)300と、ＬＣＤ200と、赤外線通信モジュール211と、bluetooth 通信モジュール213と、スマートカードリーダライタ212と、テンキースイッチ201、終了／電源スイッチ202、通話スイッチ203、ナビゲーションスイッチ204、及びファンクションスイッチ205,206 と、スイッチ操作を検出するキー制御部302と、スピーカ303とレシーバ209をドライブし、マイク207から入力するアナログ音声信号をデジタル処理する音声処理部304と、アンテナ210を介して行う無線データ通信及び無線音声通信を制御する無線通信部305と、スマートカード307とによって構成される。
【００３１】
スマートカード307は、ＣＰＵと不揮発性メモリを内蔵し、不揮発性メモリには、ユーザのＵＰＴ(Universal Personal Telecommunication)番号（電話番号）と、モバイル・マルチメディア情報提供サービスにおけるユーザＩＤと、公開鍵暗号方式のユーザ秘密鍵と、それに対応するユーザ証明書、並びに、サービス提
供者証明書（サービス提供者のデジタル証明書）と、ユーザが購入した電子バリューと、電子バリューの購入及び改札決済処理の領収書が格納される。
【００３２】
ＦｅＲＡＭ301には、ＯＳ（Operating System）と電話とブラウザの他に、電子財布オブジェクトと音楽プレーヤオブジェクトとナビゲータオブジェクトの３つのアプリケーションプログラムと、ブラウザからこの３つのアプリケーションにアクセスする際のインターフェイスとなるローカルゲートウェイのアプリケーションプログラムと、各アプリケーションによって処理されたデータとが格納されている。ここで、電子財布オブジェクトは、スマートカード307と連携して、電子財布機能を提供するモバイルユーザ端末上のアプリケーションであり、音楽プレーヤオブジェクトは、音楽プレーヤ116と連携して音楽プレーヤ機能を提供するモバイルユーザ端末上のアプリケーション、ナビゲータオブジェクトは、ナビゲーションモジュール117と連携して提供するモバイルユーザ端末上のアプリケーションである。
【００３３】
図８はＣＰＵ300が実行するアプリケーションのブラウザ401から見た関係を示す模式図である。ローカルゲートウェイ402は、ブラウザ401がインターネットにアクセスする場合の無線通信部305とゲートウェイ118の部分に相当する機能を提供し、ブラウザ401から電子財布オブジェクト400、音楽プレーヤオブジェクト500、及びナビゲータオブジェクト600にアクセスする際のアプリケーションレベルでのインターフェイスとなる。電子財布オブジェクト400、音楽プレーヤオブジェクト500、及びナビゲータオブジェクト600は、それぞれインターネットにアクセスする場合のサーバの部分に相当する機能を提供し、ブラウザ401からのアクセスに対して、マークアップ記述言語によって記述された結果をローカルゲートウェイ402を介してブラウザ401に返す。
【００３４】
ローカルゲートウェイ402は、ローカルゲートウェイ402をコントロールするローカルゲートウェイマネージャ800と、電子財布オブジェクト400や音楽プレーヤオブジェクト500、ナビゲータオブジェクト600等のサービスオブジェクトの状態を管理するサービスオブジェクトマネージャ801と、サービスオブジェクトとの共通のインターフェイスとなるサービスオブジェクトインターフェイス802から構成され、サービスオブジェクトマネージャ801は、ＦｅＲＡＭ301上にサービスオブジェクトの状態を管理するサービスオブジェクトテーブル804を生成して、サービスオブジェクトの状態を管理し、ＭＬ生成部803は、サービスオブジェクトテーブル804から利用可能なサービスのリスト（一覧情報）を示すマークアップ記述言語を生成する。
【００３５】
サービスオブジェクトテーブル804では、一つのサービスオブジェクトに対して、 サービスの名称、固有名称、シリアル番号、サービスオブジェクトのURI 、利用が可能か否かを示すステイタス情報、および、モバイルユーザ端末において実際にサービスオブジェクトにアクセスするためのハンドル情報が管理されている。
【００３６】
図４は電子財布機能を利用する場合のＣＰＵ300が実行するアプリケーション（ブラウザと電子財布オブジェクトとローカルゲートウェイ）と、モバイルユーザ端末101の他の構成要素と、他の機器との関係を示す模式図である。図４において、ＣＰＵ300は、ブラウザ401と電子財布オブジェクト400とローカルゲートウェイ402の３つのプロセスを実行する。
【００３７】
スマートカード307の不揮発性メモリには、電子バリュー405が格納されており、スマートカード307のＣＰＵは、電子財布の内容に関するマークアップ記述言語の生成（ML生成部406）と、電子バリューの分割ダウンロード、及び、改札決済処理を行なう電子財布サーバ404のアプリケーションプログラムを実行する。
【００３８】
ブラウザ401は、キー制御部302から送られるユーザ操作情報（スイッチ操 作）に基づいて、無線通信部305を用いて、情報提供サーバ103とインターネット100を介して通信し、情報提供サーバ103から受信したデータを解釈して、ＬＣＤ200に表示する。この時、情報提供サーバ103から受信するデータは、特定のマークアップ記述言語に基づいて記述されており、ブラウザ401は、このマークアップ記述言語を解釈して画像データを生成し、ＬＣＤ200に表示する。また同様に、ブラウザ401は、ローカルゲートウェイ402、及びローカルゲートウェイ402を介して電子財布オブジェクト400から受信したデータを解釈し、ＬＣＤ200に表示する。この時、ローカルゲートウェイ402、及び電子財布オブジェクト400から受信したデータは、特定のマークアップ記述言語に基づいて記述されている。
【００３９】
例えば、図７（ａ）は、電源をオンした時にＬＣＤ200に表示されるマイメニュー画面を示している。終了／電源スイッチ202によって電源をオンすると、ブラウザ401は、ローカルゲートウェイ402に対して利用可能なサービスのリストを要求し、図７（ａ）に示す画面を表示する。この時、ローカルゲートウェイマネージャ800は、サービスオブジェクトマネージャ801に対し利用可能なサービスのリストを要求し、それに対して、サービスオブジェクトマネージャ801が、サービスオブジェクトテーブル804からＭＬ生成部803を用いてマークアップ記述された利用可能なサービスのリストを生成し、生成された利用可能なサービスのリストは、ローカルゲートウェイマネージャ800を介してブラウザ401に返される。マイメニューファイルは、モバイルユーザ端末101の操作メニューであり、特定のマークアップ記述言語に基づいて記述されている。
【００４０】
ここで例えば、"1 Internet"を選択すると、"1 Internet"には、"http://www.mmiserv.com/mu ierm/menu"という絶対的なＵＲＩ（Universal Resource Identifier ）がリンクされており、ブラウザ401は、"http"という文字列をキーとして、インターネットにアクセスし、"1 Internet"にリンクされた図７（ｂ）に示すインターネットメニュー画面を表示する。ユーザは、このインターネットメニュー画面からインターネット上のサイト、例えば情報提供サーバ102にアクセスをする。図７（ｃ）は、情報提供サーバ102にアクセスし、電子バリューをオーダーする場合の画面の一例を示している。
【００４１】
また、"2 E-Wallet"を選択すると、ブラウザ401は、ローカルゲートウェイ402を介して、電子財布オブジェクト400にアクセスし、電子財布オブジェクト400から受信したデータに基づいて、図７（ｄ）に示すパスワードの入力を要求する画面を表示する。さらにこの画面でパスワードを入力すると、ブラウザ401は、入力されたパスワードをローカルゲートウェイ402を介して電子財布オブジェクト400に送信し、パスワードが正しい場合、電子財布オブジェクト400からローカルゲートウェイ402を介してブラウザ401 に、電子財布オブジェクト400で管理されている電子バリューの一覧を示すデータが送信され、ブラウザ401は、図７（ｅ）に示す画面を表示する。パスワードが間違っている場合には、エラー画面が表示される。さらに、"7 Soccer 200X Japa"を選択すると、電子財布オブジェクト400からローカルゲートウェイ402を介してブラウザ401に、選択された電子バリューの内容を示すデータが送信され、ブラウザ401は、図７（ｆ）に示す画面を表示する。
【００４２】
以上において、電子財布オブジェクト400からブラウザ401に送信されるデータは、スマートカード307上の電子財布サーバ404が生成したものであり、特定のマークアップ記述言語に基づいて記述されている。例えば、図７（ａ）の"2 E-Wallet"には、"lgw://wallet"というローカルゲートウェイ402に対して相対的なＵＲＩがリンクされており、ユーザの選択操作に対して、ブラウザ401は、"lgw" という文字列をキーとして、ローカルゲートウェイ402を介してアクセスするリソースであると解釈し、次に、"wallet"という文字列から、"wallet"というサービス名称を持つサービスオブジェクト、つまり、電子財布オブジェクト400に、ローカルゲートウェイ402を介してアクセスする。これに対して、ユーザが認証するため、電子財布オブジェクト400からは、特定のマークアップ記述言語で記述された図１４に示すデータがブラウザ401に送信され、図７（ｄ）に示すパスワードの入力を要求する画面が表示される。
【００４３】
また、図７（ｄ）に示す画面における"ok"操作には、入力されたパスワードを、"lgw://wallet/"というローカルゲートウェイ402に対して相対的なＵＲＩが示す先に送信する処理がリンクされており、ユーザのパスワード入力操作に対して、ブラウザ401は、入力されたパスワードをローカルゲートウェイ402を介して電子財布オブジェクト400に送信する。これに対して、パスワードが正しい場合には、電子財布オブジェクト400からは、特定のマークアップ記述言語で記述された電子バリューの一覧がローカルゲートウェイ402を介してブラウザ401に送信されて、図７（ｅ）に示す画面が表示され、パスワードが間違っている場合には、電子財布オブジェクト400からは、特定のマークアップ記述言語で記述されたエラーを示すデータが、ローカルゲートウェイ402を介してブラウザ401に送信されて、エラー画面が表示される。
【００４４】
次に、図５は音楽プレーヤ機能を利用する場合のＣＰＵ300 が実行するアプリケーション（ブラウザと音楽プレーヤオブジェクトとローカルゲートウェイ）と、モバイルユーザ端末101の他の構成要素と、他の機器との関係を示す模式図である。図５において、ＣＰＵ300は、ブラウザ401と音楽プレーヤオブジェクト500とローカルゲートウェイ402の３つのプロセスを実行する。
【００４５】
音楽プレーヤ116に装着された不揮発性メモリモジュールには、音楽ファイル505が格納され、音楽プレーヤ116のＣＰＵは、音楽プレーヤの内容に関するマークアップ記述言語の生成（ML生成部506 ）と、音楽ファイル505の分割ダウンロードと再生を行なう音楽サーバ504のアプリケーションプログラムを実行する。
【００４６】
例えば、"4 Music Player"を選択すると、ブラウザ401は、ローカルゲートウェイ402を介して、音楽プレーヤオブジェクト500にアクセスし、音楽プレーヤオブジェクト500からローカルゲートウェイ402を介してブラウザ401に、音楽プレーヤオブジェクト500で管理されている音楽ファイルの一覧を示すデータが送信され、ブラウザ401は、図７（ｇ）に示す画面を表示する。さらに、" -1 song for you"の再生操作を行なうと、選択した楽曲が再生される。
【００４７】
以上において、音楽プレーヤオブジェクト500からブラウザ401に送信されるデータは、音楽プレーヤ116上の音楽サーバ504が生成したものであり、特定のマークアップ記述言語に基づいて記述されている。例えば、図7（ａ）の"4 Music Player"には、"lgw://music＿player/"というローカルゲートウェイ402に対して相対的なＵＲＩがリンクされており、ユーザの選択操作に対して、ブラウザ401は、"lgw" という文字列をキーとして、ローカルゲートウェイ402を介してアクセスするリソースであると解釈し、次に、"music＿player"という文字列から、"music＿player"というサービス名称を持つサービスオブジェクト、つまり、音楽プレーヤオブジェクト500に、ローカルゲートウェイ402を介してアクセスする。これに対して、音楽プレーヤオブジェクト500からは、特定のマークアップ記述言語で記述された音楽ファイルの一覧がブラウザ401に送信され、図７（ｇ）に示す画面が表示される。
【００４８】
さらに、図７（ｇ）の" -1 song for you"には、"lgw://music＿player/play?track=1"というローカルゲートウェイ402に対して相対的なＵＲＩがリンクされており、ユーザの選択操作に対して、ブラウザ401は、"lgw" という文字列をキーとして、ローカルゲートウェイ402を介してアクセスするリソースであると解釈し、次に、"music＿player"という文字列から、"music＿player"というサービス名称を持つサービスオブジェクト、つまり、音楽プレーヤオブジェクト500に、ローカルゲートウェイ402を介してアクセスし、楽曲の再生を要求する。
【００４９】
次に、図６はナビゲータ機能を利用する場合のＣＰＵ300が実行するアプリケーション（ブラウザとナビゲータオブジェクトとローカルゲートウェイ）と、モバイルユーザ端末101の他の構成要素と、他の機器との関係を示す模式図である。図６において、ＣＰＵ300は、ブラウザ401とナビゲータオブジェクト600とローカルゲートウェイ402の３つのプロセスを実行する。
【００５０】
ナビゲーションモジュール117に装着された不揮発性メモリモジュールには、地図データファイル605が格納され、ナビゲーションモジュール117のＣＰＵは、ナビゲーションモジュールの内容に関するマークアップ記述言語の生成（ML生成部606）と、地図データファイル605の分割ダウンロードと再生を行なうナビゲーションサーバ604のアプリケーションプログラムを実行する。
【００５１】
例えば、"5 Navigator" を選択すると、ブラウザ401は、ローカルゲートウェイ402を介して、ナビゲータオブジェクト600にアクセスし、ナビゲータオブジェクト600からローカルゲートウェイ402を介してブラウザ401に、現在の位置と周辺の地図を示すデータが送信され、ブラウザ401は、図７（ｈ）に示す画面を表示する。
【００５２】
以上において、ナビゲータオブジェクト600からブラウザ401に送信されるデータは、ナビゲーションモジュール117上のナビゲーションサーバ604が生成したものであり、特定のマークアップ記述言語に基づいて記述されている。例えば、図７（ａ）の"5 Navigator"には、"lgw://navigator"というローカルゲートウェイ402に対して相対的なＵＲＩがリンクされており、ユーザの選択操作に対して、ブラウザ401は、"lgw" という文字列をキーとして、ローカルゲートウェイ402を介してアクセスするリソースであると解釈し、次に、"navigator"という文字列から、"navigator"というサービス名称を持つサービスオブジェクト、つまり、ナビゲータオブジェクト600に、ローカルゲートウェイ402を介してアクセスする。
【００５３】
次に、電子財布サーバ404、音楽サーバ504、及びナビゲーションサーバ604等のサービスオブジェクトが持つ分割ダウンロードの機能について説明する。分割ダウンロード機能は、一度に転送できるデータサイズが小さい場合に、画像データを含むような容量の大きい電子バリューや、音楽ファイル、地図データなど容量の大きなデータを、小さなデータの単位に分割してダウンロードする機能である。本機能の具体例として、電子バリュー発行サーバから電子財布に電子バリューを２つに分割してダウンロードする場合について説明する。
【００５４】
図１１はこの場合の電子バリュー発行サーバ103とブラウザ401と電子財布オブジェクト400との間で交換されるメッセージを示している。まず、電子バリュー発行サーバ103からブラウザ401に、電子バリューを２つに分割した内の一つ目のデータのダウンロードを促すメッセージServer＿instruction ＿1 1100が送信される。Server＿instruction ＿1の内容は、図１２（ａ）に示す内容であり、Goエレメントのアトリビュートとして、電子財布オブジェクト400への命令が含まれている。図１２（ａ）によれば、その命令の内容は、セッションＩＤ(session＿id)が1234、分割数(num＿frag)が２、分割されたデータの１つ目(frag ＿num)のデータ、電子バリュー発行サーバ103のＵＲＩ(DLserver)が "http://www.evissuer.com"という条件で、データ "1234567890.....................abcdefghij" (DLdata) をダウンロード(fragmentDL)するというものである。この時、ダウンロードされるデータ(DLdata)には暗号化と誤り検出のための符号化が施され、さらにＡＳＣＩＩデータにエンコードされている。
【００５５】
ブラウザ401は、"wallet"というサービス名称を持つサービスオブジェクト、つまり電子財布オブジェクトに対して、ローカルゲートウェイ402を介して、Server＿instruction ＿1 1100のGoエレメントのアトリビュートの部分1101を送信する。電子財布オブジェクト400は、受信したGoエレメントのアトリビュートの部分1101に含まれる命令を解釈し、ダウンロードされるデータ(DLdata)の部分の誤り検出と、暗号の復号化を行ない、エラーが無い場合に、電子財布オブジェクト400からブラウザ401に、２つ目のデータの送信を要求するメッセージSO＿instruction ＿1 1102が送信される。SO＿instruction ＿1 1102の内容は、図１２（ｂ）に示す内容であり、Goエレメントのアトリビュートとして、電子バリュー発行サーバ103への命令が含まれている。図１２（ｂ）によれば、その命令の内容は、セッションＩＤ(session＿id) が1234、分割されたデータの２つ目(frag ＿num)のデータの送信(send ＿frag) を要求するというものである。この時、ダウンロードしたデータの誤り検出でエラーが検出された場合には、エラーが検出された分割されたデータの番号をfrag＿num として指定する。
【００５６】
ブラウザ401は、" http://www.evissuer.com " つまり電子バリュー発行サーバ103に対して、SO＿instruction ＿1 1102のGoエレメントのアトリビュートの部分1103を送信する。電子バリュー発行サーバ103は、受信したGoエレメントのアトリビュートの部分1103に含まれる命令を解釈し、電子バリュー発行サーバ103からブラウザ401に、電子バリューを２つに分割した内の２つ目のデータのダウンロードを促すメッセージServer＿instruction ＿2 1104を送信する。Server＿instruction ＿2 の内容は、図１３（ａ）に示す内容であり、Goエレメントのアトリビュートとして、電子財布オブジェクト400への命令が含まれている。図１３（ａ）によれば、、その命令の内容は、セッションＩＤ(session＿id) が1234、分割数(num＿frag) が２、分割されたデータの２つ目(frag ＿num)のデータ、電子バリュー発行サーバ103 のＵＲＩ(DLserver)が "http://www.evissuer.com" という条件で、データ "1234567890.....................abcdefghij" (DLdata) をダウンロード(fragmentDL)するというものである。この時、ダウンロードされるデータ(DLdata)には暗号化と誤り検出の為の符号化が施され、さらにＡＳＣＩＩデータにエンコードされている。
【００５７】
ブラウザ401は、"wallet"というサービス名称を持つサービスオブジェクト、つまり電子財布オブジェクト 400に対して、ローカルゲートウェイ402を介して、Server＿instruction ＿2 1104のGoエレメントのアトリビュートの部分1105を送信する。電子財布オブジェクト400 は、受信したGoエレメントのアトリビュートの部分1105に含まれる命令を解釈し、ダウンロードされるデータ(DLdata)の部分の誤り検出と、暗号の復号化を行ない、エラーが無い場合に、２つの分割されたデータから１つの電子バリューを生成し、スマートカードに保存し、電子財布オブジェクト400からブラウザ401に、ダウンロードの完了を示すメッセージSO＿instruction ＿2 1106が送信される。SO＿instruction ＿2 1106の内容は、図１３（ｂ）に示す内容であり、Goエレメントのアトリビュートとして、電子バリュー発行サーバ103への命令が含まれている。図１３（ｂ）によれば、その命令の内容は、セッションＩＤ(session＿id) が1234のダウンロードが完了した(DLcomplete) ことを示すものである。
【００５８】
ブラウザ401は、" http://www.evissuer.com"つまり電子バリュー発行サーバ103に対して、SO＿instruction ＿2 1106のGoエレメントのアトリビュートの部分1107を送信する。電子バリュー発行サーバ103は、受信したGoエレメントのアトリビュートの部分1107に含まれる命令を解釈し、電子バリューの発行処理を完了する。
【００５９】
以上のように、本実施例によれば、アプリケーションに対するローカルゲートウェイとアプリケーション（サービスオブジェクト）にサーバ機能を持たせることにより、表示画面が小さいモバイル端末であっても、複数のアプリケーションで画面を共有でき、アプリケーションごとに表示用のメモリを確保する必要がなく、少ないメモリであっても、マルチアプリケーションサービスを提供することが可能になる。また、アプリケーション（サービスオブジェクト）のサーバ機能に、データの分割ダウンロードの機能を合わせ持たせることにより、一度に転送できるデータサイズが小さい場合であっても、無線通信部305に変更を加えることなく、容量の大きいデータをダウンロードすることができる。
【００６０】
なお、以上に述べた構成では、電子財布サーバ404をスマートカード307のアプリケーションとしたが、図１５に示すように、電子財布オブジェクト400の中の一つのモジュールとしても良い。この場合、電子財布サーバ1604は、スマートカードリーダライタ212を介して、スマートカード307にアクセスし、電子財布の内容に関するマークアップ記述言語の生成（ML生成部406)と、電子バリューの分割ダウンロード、及び、改札決済処理をスマートカード307と連携して行なう。スマートカード307での処理量が減る分、メモリを小さくすることができ、スマートカードを安価に提供できるという利点がある。
【００６１】
また、以上に述べた構成では、音楽サーバ504を音楽プレーヤ116のアプリケーションとしたが、図１６に示すように、音楽プレーヤオブジェクト500の中の一つのモジュールとしても良い。この場合、音楽サーバ1704は、Bluetooth 通信モジュール213を介して、音楽プレーヤ116にアクセスし、音楽プレーヤの内容に関するマークアップ記述言語の生成（ML生成部506)と、音楽ファイル505の分割ダウンロードと再生を音楽プレーヤ116と連携して行なう。音楽プレーヤ116での処理量が減る分、メモリを小さくすることができ、スマートカードを安価に提供できるという利点がある。
【００６２】
また、以上に述べた構成では、ナビゲーションサーバ604をナビゲーションモジュール117のアプリケーションとしたが、図１７に示すように、ナビゲータオブジェクト600の中の一つのモジュールとしても良い。この場合、ナビゲーションサーバ1804は、Bluetooth 通信モジュール213を介して、ナビゲーションモジュール117にアクセスし、ナビゲーションモジュールの内容に関するマークアップ記述言語の生成（ML生成部606)と、地図データファイル605の分割ダウンロードと再生をナビゲーションモジュール117と連携して行なう。ナビゲーションモジュール117での処理量が減る分、メモリを小さくすることができ、スマートカードを安価に提供できるという利点がある。
【００６３】
また、以上に述べた構成では、マークアップ記述言語を生成するML生成部を、各サービスオブジェクト及びサービスオブジェクトマネージャ801とで、個別に持つように構成したが、モバイルユーザ端末101上の各アプリケーションから共通に利用される一つのモジュールとして構成しても良い。この場合、モバイルユーザ端末101の各アプリケーションのプログラムの容量が減る分、メモリを小さくすることができ、モバイルユーザ端末を安価に提供できるという利点がある。
【００６４】
また、以上に述べた構成では、モバイルユーザ端末101とサービス端末105との通信に赤外線通信を用いたが、その他の無線通信方式を用いてもよく、その場合、モバイルユーザ端末101は、赤外線通信モジュール111の代わりにその無線通信方式の無線通信手段を、サービス端末105は、赤外線通信アダプタ602の代わりにその無線通信方式の無線通信手段をそれぞれ備える。
【００６５】
また、以上の説明では、モバイル・マルチメディア情報提供システムを構成するモバイルユーザ端末101は、モバイル・マルチメディア情報提供サービスにおける機能を実現するための、最適なハードウェア構成を備えているが、機能としては、デジタル無線通信機能と、赤外線通信機能、bluetooth 通信機能、及び、スマートカードリーダーライタと、ディスプレーと、キーボード（または、ペン入力デバイス）と、マイクと、スピーカとを備えたコンピュータによって構成することもできる。この場合、ＦｅＲＡＭ301に格納されているプログラムを、パソコンのＯＳ(Operating System)上で動作するソフトウェア・プログラムに変換し、そのソフトウェア・プログラムを、コンピュータから実行可能な場所（例：ハードディスク）に格納しておく。
【産業上の利用可能性】
【００６６】
以上のように、本発明に係る情報端末は、表示画面が小さいモバイル端末であっても、ブラウザウィンドウと他のアプリケーションウィンドウを一つの画面に同時に表示することができ、また、アプリケーションごとに表示用のメモリを確保する必要がないので、少ないメモリであっても、マルチアプリケーションサービスをユーザに提供できるという効果を有し、ブラウザを搭載したユーザ端末に対して電子商取引サービス、音楽配信サービス、位置情報サービスといった各種の情報サービスを提供する情報提供システム等として有用である。
【図面の簡単な説明】
【００６７】
【図１】本発明の実施例におけるモバイル・マルチメディア情報提供システムのブロック構成図
【図２】（ａ）本発明の実施例におけるモバイルユーザ端末の前面の概観図、（ｂ）本発明の実施例におけるモバイルユーザ端末の背面の概観図
【図３】本発明の実施例におけるモバイルユーザ端末のブロック構成図
【図４】本発明の実施例におけるモバイルユーザ端末のアプリケーション（ブラウザと電子財布オブジェクトとローカルゲートウェイ）と他の構成要素と、他の機器との関係を示すブロック構成図
【図５】本発明の実施例におけるモバイルユーザ端末のアプリケーション（ブラウザと音楽プレーヤオブジェクトとローカルゲートウェイ）と他の構成要素と、他の機器との関係を示すブロック構成図
【図６】本発明の実施例におけるモバイルユーザ端末のアプリケーション（ブラウザとナビゲータオブジェクトとローカルゲートウェイ）と他の構成要素と、他の機器との関係を示すブロック構成図
【図７】（ａ）本発明の実施例におけるモバイルユーザ端末の電源オン時の画面の概観図、（ｂ）本発明の実施例におけるモバイルユーザ端末のインターネットメニュー画面の概観図、（ｃ）本発明の実施例におけるモバイルユーザ端末の電子バリューのオーダー画面の概観図、（ｄ）本発明の実施例におけるモバイルユーザ端末のパスワード入力画面の概観図、（ｅ）本発明の実施例におけるモバイルユーザ端末の電子バリューの一覧画面の概観図、（ｆ）本発明の実施例におけるモバイルユーザ端末の電子バリュー表示画面の概観図、（ｇ）本発明の実施例におけるモバイルユーザ端末の音楽プレーヤ表示画面の概観図、（ｈ）本発明の実施例におけるモバイルユーザ端末のナビゲータ表示画面の概観図
【図８】本発明の実施例におけるＣＰＵ300 が実行するアプリケーションのブラウザから見た関係を示すブロック構成図
【図９】本発明の実施例におけるサービス端末のブロック構成図
【図１０】本発明の実施例におけるユーザ端末のブロック構成図
【図１１】本発明の実施例における電子バリューを分割ダウンロードする場合のフロー図
【図１２】（ａ）本発明の実施例におけるServer＿instruction ＿1 メッセージのマークアップ記述言語による記述の模式図、（ｂ）本発明の実施例におけるSO＿instruction ＿1 メッセージのマークアップ記述言語による記述の模式図
【図１３】（ａ）本発明の実施例におけるServer＿instruction ＿2 メッセージのマークアップ記述言語による記述の模式図、（ｂ）本発明の実施例におけるSO＿instruction ＿2 メッセージのマークアップ記述言語による記述の模式図
【図１４】本発明の実施例におけるマークアップ記述言語の記述例を示す模式図
【図１５】本発明の実施例におけるモバイルユーザ端末のアプリケーション（ブラウザと電子財布オブジェクトとローカルゲートウェイ）と他の構成要素と、他の機器との関係を示す別のブロック構成図
【図１６】本発明の実施例におけるモバイルユーザ端末のアプリケーション（ブラウザと音楽プレーヤオブジェクトとローカルゲートウェイ）と他の構成要素と、他の機器との関係を示す別のブロック構成図
【図１７】本発明の実施例におけるモバイルユーザ端末のアプリケーション（ブラウザとナビゲータオブジェクトとローカルゲートウェイ）と他の構成要素と、他の機器との関係を示す別のブロック構成図
【図１８】（ａ）従来の技術におけるＥＣシステムのブロック構成図、（ｂ）従来の技術におけるＥＣシステムの場合のユーザのパソコン画面の模式図
【符号の説明】
【００６８】
１０１  モバイルユーザ端末
１０２  情報提供サーバ
１０３  電子バリュー発行サーバ
１０４  決済処理サーバ
１０５  サービス端末
１０６  サービスサーバ
１０７  ユーザ端末
１０８  デジタル無線通信の伝送路
１０９  赤外線通信の伝送路
１１０、１１１、１１２、１１３、１１４、１１５  デジタル通信回線
１１６  音楽プレーヤ
１１７  ナビゲーションモジュール
１１８、１１９、１２０  ゲートウェイ
１２１、１２２  Bluetoothの伝送路
２００  ＬＣＤ
２１１  赤外線通信モジュール
２１２  スマートカードリーダライタ
２１３  Bluetooth通信モジュール
３００  ＣＰＵ
３０１  ＦｅＲＡＭ
３０２  キー制御部
３０３  スピーカ
３０４  音声処理部
３０５  無線通信部
３０６  バス
４００  電子財布オブジェクト
４０１  ブラウザ
４０２  ローカルゲートウェイ
５００  音楽プレーヤオブジェクト
６００  ナビゲータオブジェクト
【図１】
2006318452.tif 000003
【図２】
2006318452.tif 000004
【図３】
2006318452.tif 000005
【図４】
2006318452.tif 000006
【図５】
2006318452.tif 000007
【図６】
2006318452.tif 000008
【図７】
2006318452.tif 000009
【図８】
2006318452.tif 000010
【図９】
2006318452.tif 000011
【図１０】
2006318452.tif 000012
【図１１】
2006318452.tif 000013
【図１２】
2006318452.tif 000014
【図１３】
2006318452.tif 000015
【図１４】
2006318452.tif 000016
【図１５】
2006318452.tif 000017
【図１６】
2006318452.tif 000018
【図１７】
2006318452.tif 000019
【図１８】
2006318452.tif 000020